(57)【特許請求の範囲】
【請求項１】
電線付き端子、
該電線付き端子の挿入口及び収容室を有するハウジング本体、
該端子挿入口の中心とほぼ同心の電線挿通孔を有する防水手段、及び、
該防水手段を保持すると共に前記端子挿入口に挿入する前記電線付き端子を案内する案内筒を有するリアホルダとを備えるコネクタにおいて、
前記電線付き端子が、前記ハウジング本体への挿入方向先端に相手方コネクタ内の雌端子に挿入されて該雌端子と電気接続するためのタブ、及び、該タブの電線固定側に箱部を有し、かつ、前記ハウジング本体への挿入方向に垂直な面における、前記タブの中心軸と前記箱部の中心軸とが一致しない電線付き端子であり、かつ、
前記案内筒の中心軸が、前記端子挿入口の中心軸に対して、前記案内筒に前記電線付き端子が挿入されて前記電線付き端子の箱部が該案内筒に達したときに、前記タブが前記電線挿通孔の中心に向かうように、偏位させた位置に設けられていることを特徴とする防水コネクタ。
【発明の詳細な説明】
【技術分野】
【０００１】
本発明は、電気的接続に用いられる防水コネクタに関する。
【背景技術】
【０００２】
電気的接続に供せられるコネクタのうち雌コネクタには、通常、棒状のタブを有する端子が用いられている。
【０００３】
このような従来技術に係る雌コネクタのコネクタハウジングの一例を図５（電線付き端子が挿入される途中の状態を示す部分拡大モデル断面図）に示す。
【０００４】
雌コネクタαは、コネクタハウジングα１とコネクタハウジングα１内部に挿入される端子１’とからなる。
【０００５】
コネクタハウジングα１は、ハウジング本体２’、防水手段４’及びリアホルダ３’の主要部からなる。
【０００６】
ハウジング本体２’は電線付き端子１’を挿入する端子挿入口２ａ’を有し、該端子挿入口２ａ’を通じて挿入された前記電線付き端子１’を保持して収容する。
【０００７】
防水手段４’は、ハウジング本体２’の端子挿入口２ａ’の中心とほぼ同心の電線挿通孔４ｂ’を有し、前記電線の周囲を防水するゴムなどのエラストマー等の柔軟な材質からなる。
【０００８】
さらにリアホルダ３’は、該防水手段４’を保持すると共に前記端子挿入口２ａ’に挿入する電線付き端子１’を案内する案内筒３ａ’を有する。
【０００９】
一方、端子１’はコネクタハウジングα１への挿入方向先端に、図示しない相手方コネクタと接続した際に相手方コネクタ内の雌端子に挿入されて該雌端子と電気接続するための棒状のタブ１ａ’、電線に接続するための電線接続部１ｂ’、及び、上記タブ１ａ’と電線接続部１ｂ’との間に、箱部１ｃ’を有し、かつ、端子収納空間への挿入方向に垂直な面における、上記タブ１ａ’の中心と上記箱部１ｃ’の中心とが一致しない端子である。
【００１０】
防水手段４’の電線挿通孔４ｂ’は、コネクタハウジングα１の端子挿入口２ａ’の中心とほぼ同心であって、その内径は電線外径よりも細くなっているので、端子１’が電線挿通孔４ｂ’を通過する際には電線挿通孔４ｂ’を押し広げて通過する。
【００１１】
しかしながら、電線付き端子１’はタブ１ａ’の中心軸と上記箱部１ｃ’の中心とが一致しない端子であり、そのため図５にモデル的に示されているように、端子１’の棒状のタブ１ａ’の先端が、電線挿通孔４ｂ’の内面に２条設けられた電線シールリップ４ａ’の側面に当接したのち、電線挿通孔４ｂ’を押し広げ、電線シールリップ４ａ’の側面を擦過しながら通過する。
【００１２】
このような擦過により、電線挿通孔４ｂ’に傷が付くおそれがあり、その結果、電線シールリップ４ａ’と電線被覆層との間に構成される防水構造に不安があった。
【００１３】
このように、特開２００２−１８４５０８号公報（特許文献１）に記載された、タブの中心軸と箱部の中心軸とが一致しないタイプの端子は特開平０７−０５７８１５号公報（特許文献２）に記載されたタイプの防水コネクタへの応用は困難であった。
【特許文献１】特開２００２−１８４５０８号公報
【特許文献２】特開平０７−０５７８１５号公報
【発明の開示】
【発明が解決しようとする課題】
【００１４】
本発明は、上記した従来の問題点を改善する、すなわち、箱部の１つの面を延設してタブを構成した場合など、端子挿入方向に平行な、タブの中心軸の、箱部の中心軸からの偏位がある端子を用いるコネクタにおいて、タブの設計変更を必要とせずに、防水性に対する不安がない防水コネクタを提供することを目的とする。
【課題を解決するための手段】
【００１５】
本発明の防水コネクタは上記課題を解決するため、請求項１に記載の通り、電線付き端子、該電線付き端子の挿入口及び収容室を有するハウジング本体、該端子挿入口の中心とほぼ同心の電線挿通孔を有する防水手段、及び、該防水手段を保持すると共に前記端子挿入口に挿入する前記電線付き端子を案内する案内筒を有するリアホルダとを備えるコネクタにおいて、前記電線付き端子が、前記ハウジング本体への挿入方向先端に相手方コネクタ内の雌端子に挿入されて該雌端子と電気接続するためのタブ、及び、該タブの電線固定側に箱部を有し、かつ、前記ハウジング本体への挿入方向に垂直な面における、前記タブの中心軸と前記箱部の中心軸とが一致しない電線付き端子であり、かつ、前記案内筒の中心軸が、前記端子挿入口の中心軸に対して、前記案内筒に前記電線付き端子が挿入されて前記電線付き端子の箱部が該案内筒に達したときに、前記タブが前記電線挿通孔の中心に向かうように、偏位させた位置に設けられていることを特徴とする。
【発明の効果】
【００１７】
本発明の防水コネクタによれば、端子挿入時のタブが電線挿入口周囲を傷つけてしまうおそれが減少し、あるいは、完全に解消され、電線シールリップと電線の表面との間に形成される防水性の低下が予防される。
【発明を実施するための最良の形態】
【００１８】
以下、本発明について図面を用いて説明する。図１には本発明に係る防水コネクタ（この場合、雌コネクタ）Ａを形成する、コネクタハウジング（雌コネクタ用）Ａ１（図１（ａ））のモデル断面図、及び、電線に接続されて用いられる端子１（図１（ｂ））のモデル斜視図を示す。
【００１９】
また、図２（ａ）には、コネクタハウジング（雌コネクタ用）Ａ１の防水手段である一体ゴム栓４付近の拡大断面図を、図２（ｂ）には電線１ｄに接続された端子１のモデル側面図を、それぞれ示す。
【００２０】
雌コネクタＡは、コネクタハウジングＡ１とコネクタハウジングＡ１内部に挿入される端子１とからなる。
【００２１】
コネクタハウジングＡ１は、ハウジング本体２、防水手段４及びリアホルダ３の主要部からなる。
【００２２】
ハウジング本体２は電線付き端子１を挿入する端子挿入口２ａを有し、該端子挿入口２ａを通じて挿入された前記電線付き端子１を保持して収容する。
【００２３】
防水手段４はハウジング本体２の端子挿入口２ａの中心と同心ないしほぼ同心（本発明ではこれらを併せて「ほぼ同心」という）の電線挿通孔４ｂを有し、前記電線１ｄの周囲を防水するゴムなどのエラストマー等の柔軟な材質からなり、この例では一体ゴム栓４が用いられている。
【００２４】
さらにリアホルダ３は、一体ゴム栓４を保持すると共に端子挿入口２ａに挿入する電線付き端子１を案内する案内筒３ａを有する。
【００２５】
一方、端子１はコネクタハウジングＡ１への挿入方向先端に、図示しない相手方コネクタと接続した際に相手方コネクタ内の雌端子に挿入されて該雌端子と電気接続するための棒状のタブ１ａ、電線１ｄに接続するための電線接続部１ｂ、及び、上記タブ１ａと電線接続部１ｂとの間に、箱部１ｃを有し、かつ、上記タブ１ａの中心軸と上記箱部１ｃの中心軸とが一致しない端子である（図２（ｂ）に示すようにこの２つの軸の間には距離ｔ’がある）。
【００２６】
図２に示されるように一体ゴム栓４は案内筒３ａを有するリアホルダ３によって、ハウジング本体２の一体ゴム栓収納部２ｂ内部の所定の位置に保持されている。また、リアホルダ３はそのフード部３ｂによって、ハウジング本体２の端子挿入側端をカバーすると共に、図示しない係止手段によってハウジング本体２に対して固定されている。
【００２７】
一体ゴム栓４の外周（外側面）にはハウジング本体２の端子挿入口２ａの端子挿入側に設けられた筒状の内部空間の一体ゴム栓収納部２ｂ内壁に水密に圧接する２つの外リップ部４ｃとこれら２つの外リップ４ｃの間に形成された溝部４ｄにより、ハウジング本体２の一体ゴム栓収納部２ｂの図示する所定位置に一体ゴム栓４を摺動させながらセットする際の摺動性が向上して、所定位置への容易なセットが可能となると共に、セット後は一体ゴム栓収納部２ｂ内壁と一体ゴム栓４との間に充分に高い水密性が得られる。
【００２８】
この一体ゴム栓４に設けられた電線挿通孔４ｂは端子挿入口２ａのとリアホルダ３の案内筒３ａとに連通し、電線挿通孔４ｂはハウジング本体２の端子挿入口２ａの中心とほぼ同心となるようになっている。
【００２９】
また、端子挿入口２ａの相手コネクタ接続方向に垂直な断面での中心軸（中心軸線）（この中心軸を一点鎖線で示す）と、リアホルダ３の案内筒３ａの相手コネクタ接続方向に垂直な断面での中心軸（中心軸線）（図中二点鎖線で示される）とは一致せず、その距離はｔで表される。
【００３０】
図３に、このようなコネクタハウジングＡ１の案内筒３ａから端子挿入口２ａへ電線付き端子１を挿入する途中の状態をモデル的に示す。
【００３１】
図３では端子１のタブ１ａは一体ゴム栓４の電線挿通孔４ｂに至った状態が示されている。
【００３２】
ここで、一体ゴム栓４の電線挿通孔４ｂの内径は電線１ｄ外径よりも細くなっているので、端子１が電線挿通孔４ｂを通過する際には電線挿通孔４ｂを押し広げて通過する。
【００３３】
このコネクタハウジングＡ１では、案内筒３ａの内周が案内筒３ａを引き出される電線１ｄの外周面に当たらない範囲で案内筒３ａの中心を端子挿入口２ａの中心に対して、案内筒３ａに電線付き端子１が挿入されて案内筒３ａに端子１の箱部１ｃが達したときに端子１のタブ１ａが電線挿通孔４ｂ中心に向かう方向に、案内筒３ａの中心を端子挿入口２ａの中心に対して図２に示すように大きさｔで偏位させてあるため、タブ１ａ先端は防水手段４に当接することなく電線挿通孔４ｂに導入されるか、あるいは、当接しても柔軟な材質からなる防水手段４が容易に変形して対応できる程度のわずかな摩擦しか生じないので、電線挿通孔４ｂ付近のタブ１ａ先端による傷発生は完全に予防されるため、電線付き端子１挿入後の、電線表面と防水手段４の電線挿入口４ｂの小径部である電線シールリップ部４ａとで形成される防水性が損なわれるおそれは解消される。
【００３４】
図４に、電線付き端子１がコネクタハウジングＡ１内に収納された状態をモデル的に示す。
【００３５】
このようにコネクタハウジングＡ１の所定位置に電線付き端子１が収納されたとき、電線挿通孔４ｂ内側面に２条設けられた電線シールリップ４ａは電線１ｄの周囲を圧接するので確実な水密性が得られる。
【００３６】
ここで、上記雌コネクタＡにおいて、端子は従来から用いられているものと同じものを用いることができ、コネクタハウジングＡ１が上記のように、ハウジング本体２、一体ゴム栓４及びリアホルダ３の主要部品からなる場合、リアホルダ３の、主に案内筒の形成位置を変更させればよいので、きわめて容易である。
【００３７】
なお、上記においては、１つの端子が内部に収納されるタイプのコネクタについて説明したが、本発明では、複数の端子が内部に収納されるタイプのコネクタにおいても好適に応用でき、その場合も本発明に含まれる。
【産業上の利用可能性】
【００３８】
本発明に係るコネクタによれば、作製が容易な、箱部の１つの面を延設してタブを構成した場合など、端子挿入方向に平行な、タブの中心軸と、箱部の中心軸との偏移が大きい端子を用いるコネクタであっても、防水性に対する不安がない防水コネクタとすることができるので、防水コネクタ分野において広く用いることができる。
【図面の簡単な説明】
【００３９】
【図１】（ａ）本発明に係る防水コネクタ（この場合、雌コネクタ）Ａを形成する、コネクタハウジングＡ１のモデル断面図である。（ｂ）電線に接続されて用いられる端子１（コネクタハウジングＡ１とともに本発明に係る防水コネクタを構成する）のモデル斜視図である。
【図２】（ａ）コネクタハウジングＡ１の一体ゴム栓４付近の拡大断面図である。（ｂ）電線１ｄに接続された端子１のモデル側面図である。
【図３】コネクタハウジングＡ１の端子挿入口２ａ内に電線付き端子１を挿入する途中の状態を示すモデル断面図である。
【図４】電線付き端子１がコネクタハウジングＡ１の端子挿入口２ａに収納された状態を示すモデル断面図である。
【図５】従来のコネクタでの問題点を示す部分拡大モデル断面図である。
【符号の説明】
【００４０】
Ａ      雌コネクタ
Ａ１    コネクタハウジング
１      端子
１ａ    タブ
１ｂ    電線接続部
１ｄ    電線
１ｃ    箱部
２      ハウジング本体
２ａ    端子挿入口
３      リアホルダ
３ａ    案内筒
４      一体ゴム栓（防水手段）
４ａ    電線シールリップ
４ｂ    電線挿通孔
【図１】
0004629553.tif 000002
【図２】
0004629553.tif 000003
【図３】
0004629553.tif 000004
【図４】
0004629553.tif 000005
【図５】
0004629553.tif 000006